(57)【要約】【課題】  発信者のユーザ情報を受信者に通知して、発信者と受信者の利便性を向上させる。【解決手段】  予め発信者に関するユーザ情報を、管理サーバ２０のユーザ情報データベース２１に登録しておく。そして、管理サーバ２０は、発信者電話番号を受信し、その発信者電話番号に基づいて発信者であるユーザ１ａのユーザ情報をユーザ情報データベース２１から取得する。管理サーバ２０は、取得したユーザ１ａのユーザ情報を、受信端末装置である移動機１０ｂに通知する。【選択図】図１
2005197827.tif 000002
【特許請求の範囲】
【請求項１】
発信者に関するユーザ情報を記憶するユーザ情報記憶手段と、
発信者電話番号を受信する受信手段と、
該受信手段が受信した発信者電話番号に基づいて、前記ユーザ情報記憶手段から前記ユーザ情報を取得する取得手段と、
該取得手段が取得したユーザ情報を、受信者が使用する受信端末装置に通知する通知手段と
を備えることを特徴とする通知装置。
【請求項２】
前記ユーザ情報には、前記発信者の状態が含まれることを特徴とする請求項１に記載の通知装置。
【請求項３】
前記受信者に応じた前記ユーザ情報の通知条件に基づいて、前記通知手段が行うユーザ情報の通知を制御する通知制御手段を備えることを特徴とする請求項１又は２に記載の通知装置。
【請求項４】
前記通知条件には、前記ユーザ情報の通知の可否、前記ユーザ情報の受信の可否、前記ユーザ情報の宛先アドレス、通知する前記ユーザ情報の種類又は前記ユーザ情報の通知フォーマットの少なくとも１つが含まれることを特徴とする請求項３に記載の通知装置。
【請求項５】
前記通知手段は、前記受信端末装置への着信と同時、前記受信端末装置への着信の前、又は、前記発信者が使用する発信端末装置と前記受信端末装置との通信中の少なくとも１つのときに、前記ユーザ情報を通知することを特徴とする請求項１乃至４のいずれか１項に記載の通知装置。
【請求項６】
受信者が使用する受信端末装置に発信者に関するユーザ情報を、発信者電話番号に基づいて通知する通知装置に、前記ユーザ情報を通知する情報通知手段と、
前記通知装置に、前記発信者電話番号を通知する番号通知手段と
を備えることを特徴とする端末装置。
【請求項７】
発信者に関するユーザ情報を記憶するユーザ情報記憶手段と、
発信者電話番号を受信する受信手段と、
該受信手段が受信した発信者電話番号に基づいて、前記ユーザ情報記憶手段から前記ユーザ情報を取得する取得手段と、  
該取得手段が取得したユーザ情報を、受信者が使用する受信端末装置に通知する通知手段と
を備えることを特徴とする通知システム。
【請求項８】
発信者電話番号を受信し、
該受信した発信者電話番号に基づいて、発信者に関するユーザ情報を記憶するユーザ情報記憶手段から前記ユーザ情報を取得し、
該取得したユーザ情報を、受信者が使用する受信端末装置に通知することを特徴とする通知方法。
【発明の詳細な説明】
【技術分野】
【０００１】
本発明は、通知装置、端末装置、通知システム及び通知方法に関する。
【背景技術】
【０００２】
従来、発信者電話番号は、着信時に受信者の端末装置に通知されている。しかし、発信者に関するユーザ情報を着信時に受信者の端末装置に表示させるためには、発信者が口頭やメールによりユーザ情報を受信者に伝え、受信者が発信者のユーザ情報を端末装置に入力し、事前に登録しておく必要がある。
【０００３】
又、オペレーターとの通話中に申し込みを行う場合のように、発信者がユーザ情報を受信者に伝えたい場合にも、発信者は口頭やメール、ファクシミリによりユーザ情報をオペレーターに伝える。又、オペレーターも、口頭やメール、ファクシミリにより伝えられたユーザ情報を、端末装置に入力して登録する。更に、情報処理装置からの要求に応じて、ユーザの個人情報を情報処理装置に提供する装置も提案されている（例えば、特許文献１参照）。
【特許文献１】特開平１１−１２０２３８号公報
【発明の開示】
【発明が解決しようとする課題】
【０００４】
しかしながら、発信者が口頭やメールでユーザ情報を受信者に伝える方法では、発信者は異なる受信者に対して何度も同じユーザ情報を伝える必要があり、面倒であった。更に、受信者も、口頭やメールで伝えられたユーザ情報を端末装置に入力して登録する必要があり、面倒であった。特に、オペレーターの場合には、登録作業のための稼働を要した。又、情報処理装置からの要求に応じて個人情報を提供する装置では、発信者のユーザ情報を受信者に通知することはできなかった。
【０００５】
そこで、本発明は、発信者のユーザ情報を受信者に通知して、発信者と受信者の利便性を向上させることを目的とする。
【課題を解決するための手段】
【０００６】
本発明に係る通知装置は、発信者に関するユーザ情報を記憶するユーザ情報記憶手段と、発信者電話番号を受信する受信手段と、受信手段が受信した発信者電話番号に基づいて、ユーザ情報記憶手段からユーザ情報を取得する取得手段と、取得手段が取得したユーザ情報を、受信者が使用する受信端末装置に通知する通知手段とを備えることを特徴とする。
【０００７】
このような通知装置によれば、予め発信者に関するユーザ情報を記憶しておくことができる。更に、通知装置は、発信者電話番号を受信し、その発信者電話番号に基づいて発信者のユーザ情報を記憶手段から取得する。そして、通知装置は、取得した発信者のユーザ情報を、受信端末装置に通知できる。そのため、通知装置は、発信者のユーザ情報を受信者に通知して、発信者と受信者の利便性を向上させることができる。ユーザ情報には、発信者の状態が含まれることが好ましい。これによれば、通知装置は、受信者に、発信者のユーザ情報として発信者の状態を通知できる。
【０００８】
通知装置は、受信者に応じたユーザ情報の通知条件に基づいて、通知手段が行うユーザ情報の通知を制御する通知制御手段を備えることが好ましい。これによれば、通知装置は、受信者毎に適切なユーザ情報の通知ができる。更に、通知条件には、ユーザ情報の通知の可否、ユーザ情報の受信の可否、ユーザ情報の宛先アドレス、通知するユーザ情報の種類又はユーザ情報の通知フォーマットの少なくとも１つが含まれることが好ましい。これによれば、通知装置は、発信者がユーザ情報の通知を希望する受信者のみへのユーザ情報の通知、ユーザ情報の受信を希望する受信者のみへのユーザ情報の通知、受信者や発信者が希望する宛先アドレスへのユーザ情報の通知、受信者や発信者が希望する種類のユーザ情報の通知、受信者や発信者が希望する通知フォーマットでのユーザ情報の通知を行うことができる。
【０００９】
又、通知手段は、受信端末装置への着信と同時、受信端末装置への着信の前、又は、発信者が使用する発信端末装置と受信端末装置との通信中の少なくとも１つのときに、ユーザ情報を通知することが好ましい。通知装置が、着信と同時に、或いは、着信の前にユーザ情報を通知する場合には、発信者は着信時にユーザ情報を受信者に通知できる。そのため、受信者はユーザ情報を受信端末装置に事前に登録していない発信者であっても、着信時にそのユーザ情報を知ることができる。更に、着信の前の場合には、受信者はユーザ情報を着信の可否の判断材料に用いることができる。又、通知装置が、発信端末装置と受信端末装置との通信中にユーザ情報を通知する場合には、通信中にユーザ情報の通知が必要になったときに、受信者にユーザ情報を通知できる。
【００１０】
本発明に係る端末装置は、受信者が使用する受信端末装置に発信者に関するユーザ情報を、発信者電話番号に基づいて通知する通知装置に、ユーザ情報を通知する情報通知手段と、通知装置に、発信者電話番号を通知する番号通知手段とを備えることを特徴とする。このような端末装置によれば、通知装置にユーザ情報を通知して、通知装置にユーザ情報を登録させることができる。そして、端末装置は、通知装置に発信者電話番号を通知して、通知装置にユーザ情報を受信端末装置に通知させることができる。
【００１１】
本発明に係る通知システムは、発信者に関するユーザ情報を記憶するユーザ情報記憶手段と、発信者電話番号を受信する受信手段と、受信手段が受信した発信者電話番号に基づいて、ユーザ情報記憶手段からユーザ情報を取得する取得手段と、取得手段が取得したユーザ情報を、受信者が使用する受信端末装置に通知する通知手段とを備えることを特徴とする。
【００１２】
本発明に係る通知方法は、発信者電話番号を受信し、受信した発信者電話番号に基づいて、発信者に関するユーザ情報を記憶するユーザ情報記憶手段からユーザ情報を取得し、取得したユーザ情報を受信者が使用する受信端末装置に通知することを特徴とする。
【発明の効果】
【００１３】
以上説明したように、本発明によれば、発信者のユーザ情報を受信者に通知して、発信者と受信者の利便性を向上させることができる。
【発明を実施するための最良の形態】
【００１４】
〔第１の実施の形態〕
（通知システム）
図１に示すように、通知システム１００は、移動機１０ａと、移動機１０ｂと、管理サーバ２０と、ネットワーク３０と、交換機４０とを備える。移動機１０ａはユーザ１ａが使用し、移動機１０ｂはユーザ１ｂが使用する。ユーザ１ａが発信者、ユーザ１ｂが受信者となる場合には、移動機１０ａが発信端末装置、移動機１０ｂが受信端末装置となる。一方、ユーザ１ｂが発信者、ユーザ１ａが受信者となる場合には、移動機１０ｂが発信端末装置、移動機１０ａが受信端末装置となる。管理サーバ２０は、受信者が使用する受信端末装置に発信者に関するユーザ情報を、発信者電話番号に基づいて通知する通知装置である。交換機４０は、ネットワーク３０内に設けられる。
【００１５】
本実施形態では、ユーザ１ａが発信者、ユーザ１ｂが受信者、移動機１０ａが発信端末装置、移動機１０ｂが受信端末装置となる場合を例として説明する。又、データ通信を実線で、音声通信を点線で示す。
【００１６】
移動機１０ａは、通信部１１と、入力部１２と、カメラ１３と、出力部１４と、記憶部１５と、制御部１６とを備える。尚、移動機１０ｂも移動機１０ａと同様の構成を備える。
【００１７】
通信部１１は、ネットワーク３０を介して管理サーバ２０、移動機１０ｂと通信する。通信部１１は、通知装置にユーザ情報を通知する情報通知手段として機能する。通信部１１は、制御部１６から、ユーザ情報登録要求を取得し、管理サーバ２０に送信する。ユーザ情報登録要求は、管理サーバ２０にユーザ情報の登録を要求するものであり、ユーザ１ａの電話番号に対応付けられたユーザ情報を含む。ユーザ情報は、ユーザに関する情報である。ユーザ情報には、例えば、ユーザの本名やニックネームなどのユーザ名、メールアドレス、住所、画像、年齢、性別、生年月日、パスワード、状態、ユーザが受信者に提供したい音楽などがある。移動機１０ａが通知する状態には、例えば、ユーザ１ａの位置情報、食事中、睡眠中、移動中、通勤中、通学中、仕事中、会議中、退席中、勉強中、家事中、スポーツ中、買い物中、映画鑑賞中、暇、ユーザの感情、移動機１０ａの動作モードなどがある。
【００１８】
本実施形態では、通信部１１は、ユーザ情報として、ユーザ名（ニックネーム）、メールアドレス、住所、画像、音楽、状態を含むユーザ情報登録要求を送信する。尚、通信部１１は、ユーザ情報登録要求を一度送信した後は、ユーザ情報のうち、更新が必要なユーザ情報だけを含むユーザ情報登録要求を送信するようにしてもよい。又、通信部１１は、ユーザの状態のように頻繁に更新が必要なユーザ情報を含まないユーザ情報登録要求を送信してもよい。
【００１９】
更に、通信部１１は、通知装置に、発信者電話番号を通知する番号通知手段としても機能する。通信部１１は、受信端末装置に対して発信することにより、ネットワーク３０内に設けられる交換機４０を介して、発信者電話番号と受信者電話番号を管理サーバ２０に通知する。通信部１１は、制御部１６から、発信者電話番号としてユーザ１ａ自身の電話番号を、受信者電話番号としてユーザ１ｂの電話番号を取得し、移動機１０ｂに対して発信する。
【００２０】
又、通信部１１は、管理装置にユーザ情報の通知条件を通知する条件通知手段としても機能する。通信部１１は、移動機１０ａが受信端末装置となる場合のために、通知条件としてユーザ情報の受信の可否を管理サーバ２０に通知する。通信部１１は、ユーザ１ａが受信者となった場合に、発信者のユーザ情報を受信するか否かを通知する受信可否通知を、制御部１６から取得し、管理サーバ２０に送信する。更に、通信部１１は、移動機１０ａが受信端末装置となった場合には、ユーザ情報を受信する。通信部１１は、受信したユーザ情報を制御部１６に入力する。
【００２１】
図１に示すように、移動機１０ａの通信部１１は、音声通信により移動機１０ｂに発信し、移動機１０ａからの呼は音声通信により移動機１０ｂの通信部に着信する。そして、移動機１０ａの通信部１１と移動機１０ｂの通信部１１は音声通信により通話する。又、移動機１０ａの通信部１１、移動機１０ｂの通信部１１は、ユーザ情報登録要求、受信可否通知をデータ通信により送信する。例えば、移動機１０ａ，１０ｂは、ユーザ情報登録要求や受信可否通知として、ユーザ情報や通知条件を通知するためのウェブページを送信することができる。又、移動機１０ｂの通信部１１は、ユーザ１ａのユーザ情報をデータ通信により受信する。
【００２２】
入力部１２は、ユーザ１ａからの入力内容を取得し、制御部１６に入力する。入力部１２は、キーやマイクを用いることができる。ユーザ１ａは、入力部１２を用いて、電話番号やユーザ情報、通知条件としてユーザ情報の受信の可否を入力する。例えば、ユーザ情報や通知条件は、ユーザ情報や通知条件を通知するためのウェブページに入力される。カメラ１３は、制御部１６からの指示に従って撮影し、撮影した画像を制御部１６に入力する。出力部１４は、通信部１１が受信した発信者のユーザ情報を出力する出力手段である。又、出力部１４は、記憶部１５が記憶する情報や入力部１２からの入力内容、カメラ１３が撮影した画像も出力する。出力部１４は、制御部１６から、ユーザ情報や入力内容、画像を取得し、文字や画像、音声により出力する。出力部１４は、ディスプレイやスピーカーを用いることができる。記憶部１５は、通信部１１が受信した発信者のユーザ情報を、発信者電話番号と対応付けて記憶する。又、記憶部１５は、入力部１２やカメラ１３から入力されるユーザ１ａ自身のユーザ情報や、ユーザ１ａ自身の電話番号も記憶する。
【００２３】
制御部１６は、移動機１０ａを制御する。制御部１６は、入力部１２から、ユーザ１ａにより入力されたユーザ１ａ自身の電話番号やユーザ情報を、カメラ１３からユーザ情報としてユーザ１ａの画像を取得する。制御部１６は、ユーザ１ａの電話番号にユーザ１ａのユーザ情報を対応付けて、管理サーバ２０にユーザ情報の登録を要求するユーザ情報登録要求を作成する。制御部１６は、作成したユーザ情報登録要求を通信部１１に入力する。更に、制御部１６は、入力部１２やカメラ１３から取得したユーザ１ａのユーザ情報を、記憶部１５に格納する。又、制御部１６は、入力部１２から、ユーザ１ａにより通知条件として入力されたユーザ情報の受信の可否を取得し、受信可否通知を作成する。制御部１６は、作成した受信可否通知を通信部１１に入力する。
【００２４】
制御部１６は、発信時に、発信者電話番号としてユーザ１ａ自身の電話番号を、受信者電話番号としてユーザ１ｂの電話番号を記憶部１５又は入力部１２から取得し、通信部１１に入力する。又、制御部１６は、通信部１１から、通信部１１が受信した発信者のユーザ情報及び発信者電話番号を取得する。制御部１６は、出力部１４に、取得した発信者電話番号と発信者のユーザ情報を入力する。更に、制御部１６は、記憶部１５に、取得した発信者電話番号とユーザ情報とを対応付けて格納する。このようにして、移動機１０ａは、受信した発信者のユーザ情報を移動機１０ａに登録する。又、制御部１６は、入力部１２からユーザ１ａによるカメラ１３への指示を取得して、カメラ１３に入力したり、入力部１２やカメラ１３、記憶部１５から、入力内容や画像、ユーザ情報を取得し、出力部１４に入力したりする。
【００２５】
ネットワーク３０は、無線アクセスネットワークやコアネットワークを含む。  交換機４０は、インタフェース４１と、記憶部４２と、制御部４３とを備える。インタフェース４１は、移動機１０ａ，１０ｂや管理サーバ２０と通信する。インタフェース４１は、移動機１０ａから移動機１０ｂに発信された呼を受信すると、制御部４３に入力する。そして、インタフェース４１は、制御部４３から、ユーザ情報通知要求を取得し、管理サーバ２０に送信する。ユーザ情報通知要求は、管理サーバ２０に、発信者のユーザ情報の受信端末装置への通知を要求するものであり、発信者電話番号と受信者電話番号を含む。又、インタフェース４１は、管理サーバ２０から着信の指示を受信し、制御部４３に入力する。インタフェース４１は、制御部４３の指示に従って、移動機１０ａからの呼を移動機１０ｂに着信させる。その後、インタフェース４１は、移動機１０ａと移動機１０ｂとの間の音声通信による通話を接続する。
【００２６】
更に、インタフェース４１は、ユーザ１ａ，１ｂの状態を管理サーバ２０に通知する。インタフェース４１は、制御部４３から状態通知を取得し、管理サーバ２０に送信する。状態通知は、ユーザ１ａ，１ｂの状態を、ユーザ１ａ，１ｂの電話番号に対応付けて、管理サーバ２０に通知するものである。交換機４０が通知する状態には、位置情報、圏外、電源オフ、圏内、ローミング状態、通話中、待ち受け中などがある。記憶部４２は、ユーザ１ａ，１ｂの状態を、ユーザ１ａ，１ｂの電話番号に対応付けて記憶する。
【００２７】
制御部４３は、交換機４０を制御する。制御部４３は、インタフェース４１から、移動機１０ａから移動機１０ｂに発信された呼を取得する。制御部４３は、取得した呼に含まれる発信者電話番号、受信者電話番号を含むユーザ情報通知要求を作成し、インタフェース４１に入力する。又、制御部４３は、インタフェース４１から、管理サーバ２０からの着信の指示を取得し、その指示に従ってインタフェース４１に、移動機１０ａからの呼を移動機１０ｂに着信させるよう指示する。
【００２８】
更に、制御部４３は、ユーザ１ａ，１ｂの状態を検出する。例えば、制御部４３は、インタフェース４１が移動機１０ａ，１０ｂから受信する位置等録要求に基づいて、位置情報を検出する。制御部４３は、インタフェース４１が移動機１０ａ，１０ｂから受信するローミングアウトの通知やローミングインの通知に基づいて、ローミング状態を検出する。制御部４３は、インタフェース４１が送信するページング要求（一斉呼び出し）に対する移動機１０ａ，１０ｂからのページング応答の有無や、インタフェース４１が接続する通話状態に基づいて、圏外又は電源オフの状態にあるか、圏内であるかや、圏内から圏外への移行を検出する。制御部４３は、インタフェース４１が通話を接続しているか否かに基づいて、通話中か待ち受け中かを検出する。
【００２９】
制御部４３は、検出したユーザ１ａ，１ｂの状態をユーザ１ａ，１ｂの電話番号に対応付けた状態通知を作成し、インタフェース４１に入力する。制御部４３は、状態の変化を検出した際に状態通知を作成してもよく、定期的に状態通知を作成してもよい。制御部４３は、検出した状態と記憶部４２に記憶された状態を比較することにより、状態の変化を検出できる。制御部４３は、検出した状態を、ユーザ１ａ，１ｂの電話番号に対応付けて記憶部４２に格納する。
【００３０】
管理サーバ２０は、ユーザ情報データベース２１と、受信可否データベース２２と、ネットワークインタフェース２３と、登録部２４と、制御部２５とを備える。ユーザ情報データベース２１は、発信者に関するユーザ情報を記憶するユーザ情報記憶手段である。ユーザ情報データベース２１は、ユーザ１ａ，１ｂが発信者となった場合に、受信端末装置に通知するユーザ情報を記憶する。ユーザ情報データベース２１は、ユーザ１ａ，１ｂの電話番号に対応付けてユーザ情報を記憶する。本実施形態では、ユーザ情報データベース２１は、ユーザ情報として、ユーザのユーザ名（ニックネーム）、メールアドレス、住所、画像、状態、ユーザが受信者に提供したい音楽を記憶する。このように、ユーザ情報データベース２１が記憶するユーザ情報には、発信者となるユーザの状態が含まれることが好ましい。これによれば、管理サーバ２０は、受信者に、発信者のユーザ情報として発信者の状態を通知できる。
【００３１】
例えば、ユーザ情報データベース２１は、ユーザ１ａの電話番号「０９０−１１１１−１１１１」に対応付けて、ユーザ１ａのユーザ情報として、ユーザ名「ボブ」、メールアドレス「ｂｏｂ＠ｄｏｃｏｍｏ．ｎｅ．ｊｐ」、住所「品川」、ユーザ１ａの顔の画像「画像データＡ」、ユーザ１ａが提供したい音楽「音楽データＡ」、状態として位置情報「新宿」を記憶する。又、ユーザ情報データベース２１は、ユーザ１ｂの電話番号「０９０−２２２２−２２２２」に対応付けて、ユーザ１ｂのユーザ情報として、ユーザ名「ナンシー」、メールアドレス「Ｎａｎｃｙ＠ｄｏｃｏｍｏ．ｎｅ．ｊｐ」、住所「横浜」、ユーザ１ｂの顔の画像「画像データＢ」、ユーザ１ｂが提供したい音楽「音楽データＢ」、状態「食事中」を記憶する。
【００３２】
受信可否データベース２２は、受信者に応じたユーザ情報の通知条件を記憶する条件記憶手段である。受信可否データベース２２は、通知条件として、ユーザ１ａ，１ｂが受信者となった場合に、発信者のユーザ情報を受信するか否かを記憶する。受信可否データベース２２は、ユーザ１ａ，１ｂの電話番号に対応付けて受信の可否を記憶する。例えば、受信可否データベース２２は、ユーザ１ａの電話番号「０９０−１１１１−１１１１」に対応付けて、ユーザ１ａが受信者となった場合には、発信者のユーザ情報を「受信ＮＧ」であること、ユーザ１ｂの電話番号「０９０−２２２２−２２２２」に対応付けて、ユーザ１ｂが受信者となった場合には、発信者のユーザ情報を「受信ＯＫ」であることを記憶する。
【００３３】
ネットワークインタフェース２３は、交換機４０や、ネットワーク３０を介して移動機１０ａ，１０ｂと通信する。ネットワークインタフェース２３は、移動機１０ａ，１０ｂから、ユーザ情報登録要求、受信可否通知を受信し、登録部２４に入力する。このようにして、ネットワークインタフェース２３は、発信端末装置からユーザ情報を受信する情報受信手段や、受信端末装置から通知条件を受信する条件受信手段として機能する。ネットワークインタフェース２３は、交換機４０から、状態通知を受信し、登録部２４に入力する。
【００３４】
又、ネットワークインタフェース２３は、発信者電話番号を受信する受信手段として機能する。ネットワークインタフェース２３は、交換機４０を介して、発信端末装置から発信者電話番号と受信者電話番号を受信する。具体的には、ネットワークインタフェース２３は、交換機４０から、発信者電話番号として移動機１０ａから送信されたユーザ１ａの電話番号を、受信者電話番号として移動機１０ａから送信されたユーザ１ｂの電話番号を含むユーザ情報通知要求を受信する。ネットワークインタフェース２３は、受信したユーザ情報通知要求を制御部２５に入力する。
【００３５】
更に、ネットワークインタフェース２３は、ユーザ情報を受信端末装置に通知する通知手段として機能する。図１では、ネットワークインタフェース２３は、受信端末装置への着信と共に、ユーザ情報を通知する。ネットワークインタフェース２３は、制御部２５からユーザ１ａのユーザ情報を取得する。そして、ネットワークインタフェース２３は、制御部２５の指示に従って、移動機１０ｂへの着信と同時に、ユーザ１ａのユーザ情報を移動機１０ｂに送信する。その後、移動機１０ａと移動機１０ｂとの間で通話が開始される。又、ネットワークインタフェース２３は、制御部２５から、交換機４０に対する着信に関する指示を取得し、交換機４０に送信する。
【００３６】
ネットワークインタフェース２３は、ユーザ情報登録要求、受信可否通知、状態通知、ユーザ情報通知要求をデータ通信により受信し、ユーザ情報、着信に関する指示をデータ通信により送信する。ネットワークインタフェース２３は、例えば、ユーザ情報をＵＳＳＤ（Unstructured  Supplementary  Services  Data）として、移動機１０ｂに送信する。これによれば、管理サーバ２０が移動機１０ｂのメールアドレスを把握していない場合であっても、ユーザ情報を移動機１０ｂに通知できる。尚、ネットワークインタフェース２３は、ＨＴＴＰ（HyperText  Transfer  Protocol）により、ユーザ情報を移動機１０ｂに送信してもよい。
【００３７】
登録部２４は、ユーザ情報を、ユーザ情報データベース２１に登録する。登録部２４は、ネットワークインタフェース２３から、ユーザ情報登録要求を取得する。登録部２４は、ユーザ情報登録要求に含まれるユーザ情報を、ユーザ情報登録要求に含まれる電話番号に対応付けて、ユーザ情報データベース２１に格納する。又、登録部２４は、ユーザ情報の受信の可否を、受信可否データベース２１に登録する。登録部２４は、ネットワークインタフェース２３から、受信可否通知を取得する。登録部２４は、受信可否通知に含まれる受信の可否を、受信可否通知に含まれる電話番号に対応付けて、受信可否データベース２２に格納する。
【００３８】
又、登録部２４は、取得したユーザ情報登録要求や受信可否通知に含まれる電話番号が既にユーザ情報データベース２１や受信可否データベース２２に登録されている場合には、新たなユーザ情報や受信の可否を、ユーザ情報データベース２１や受信可否データベース２２に格納して、更新する。登録部２４は、更新が必要なユーザ情報だけを含むユーザ情報登録要求を取得した場合には、更新が必要なユーザ情報だけを新たにユーザ情報データベース２１に格納して、更新すればよい。
【００３９】
又、登録部２４は、ネットワークインタフェース２３から、状態通知を取得する。登録部２４は、状態通知に含まれる状態を、状態通知に含まれる電話番号に対応付けて、ユーザ情報データベース２１に格納する。このとき、登録部２４は、例えば、移動機１０ａ，１０ｂからのユーザ情報登録要求に基づく状態が格納されていない場合にだけ、交換機４０からの状態通知に含まれる状態を格納するようにし、ユーザ１ａ，１ｂからの状態の通知を優先するようにしてもよい。又、登録部２４は、ユーザ情報登録要求に含まれる状態と、状態通知に含まれる状態の両方を並列して、ユーザ情報データベース２１に格納してもよい。更に、登録部２４は、状態通知に含まれる電話番号がユーザ情報データベース２１にない場合には、状態を格納しないようにし、交換機４０からの状態通知は、既にユーザ情報を登録しているユーザのユーザ情報の更新にのみ利用するようにしてもよい。
【００４０】
制御部２５は、受信手段が受信した発信者電話番号に基づいて、ユーザ情報記憶手段からユーザ情報を取得する取得手段である。又、制御部２５は、受信者に応じたユーザ情報の通知条件に基づいて、通知手段が行うユーザ情報の通知を制御する通知制御手段としても機能する。まず、制御部２５は、受信者について、ユーザ情報の受信の可否を確認する。具体的には、制御部２５は、ユーザ情報通知要求に含まれる受信者電話番号に基づいて、受信可否データベース２２を検索する。
【００４１】
制御部２５は、図１に示すように、受信者電話番号「０９０−２２２２−２２２２」に対応付けられて登録されている受信の可否が「受信ＯＫ」であり、受信者であるユーザ１ｂがユーザ情報の受信を希望している場合には、ユーザ情報通知要求に含まれる発信者電話番号に基づいて、ユーザ情報データベース２１を検索する。そして、制御部２５は、ユーザ情報データベース２１から発信者であるユーザ１ａのユーザ情報を取得する。制御部２５は、取得したユーザ情報をネットワークインタフェース２３に入力し、着信と同時に移動機１０ｂに送信するように指示する。更に、制御部２５は、交換機４０に対する移動機１０ｂへの着信の指示をネットワークインタフェース２３に入力する。
【００４２】
一方、制御部２５は、受信者がユーザ１ａの場合のように、受信者電話番号「０９０−１１１１−１１１１」に対応付けられて登録されている受信の可否が「受信ＮＧ」であり、受信者がユーザ情報の受信を希望していない場合には、交換機４０に対する移動機１０ａへの着信の指示だけを、ネットワークインタフェース２３に入力する。
【００４３】
このようにして、管理サーバ２０では、制御部２５が通知制御手段として機能する。そのため、管理サーバ２０は、受信者毎に適切なユーザ情報の通知ができる。特に、制御部２５は、通知条件としてユーザ情報の受信の可否を用いるため、管理サーバ２０は、ユーザ情報の受信を希望する受信者だけにユーザ情報を通知できる。
【００４４】
又、管理サーバ２０は、図２に示すように、受信端末装置への着信の前にユーザ情報を通知するようにしてもよい。具体的には、管理サーバ２０の制御部２５が、取得したユーザ情報をネットワークインタフェース２３に入力し、着信の前に移動機１０ｂに送信するように指示する。ネットワークインタフェース２３は、着信の前に、移動機１０ｂにユーザ情報を送信する。
【００４５】
ユーザ１ｂは、移動機１０ｂの通信部１１が受信したユーザ情報に基づいて、着信の可否を判断する。そして、ユーザ１ｂは、着信を許可する場合には、移動機１０ｂの入力部１２に対して着信を許可する操作を行う。例えば、ユーザ１ｂは、着信許可の操作として、通話状態とするための操作や、着信許可を示す内容の入力を行う。移動機１０ｂの制御部１６は、入力部１２から着信許可の操作内容を取得すると、着信の許可を管理サーバ２０に通知する許可通知を通信部１１に入力する。そして、移動機１０ｂの通信部１１が許可通知を、管理サーバ２０にデータ通信により送信する。
【００４６】
管理サーバ２０のネットワークインタフェース２３は、許可通知をデータ通信により受信し、制御部２５に入力する。制御部２５は、許可通知を取得した場合には、交換機４０に対する移動機１０ｂへの着信の指示をネットワークインタフェース２３に入力する。一方、制御部２５は、予め定めた一定時間を経過しても、移動機１０ｂから許可通知を受信できない場合には、交換機４０に対する着信中止の指示をネットワークインタフェース２３に入力する。ネットワークインタフェース２３は、交換機４０に着信や着信中止の指示を送信する。
【００４７】
交換機４０の制御部４３は、インタフェース４１が受信した着信や着信中止の指示に基づいて、インタフェース４１に着信や着信中止を指示する。インタフェース４１は、制御部４３の指示に従って、移動機１０ａからの呼を移動機１０ｂに着信させたり、着信させずに移動機１０ａからの呼を破棄したりする。着信後、移動機１０ａと移動機１０ｂとの間で通話が開始される。
【００４８】
尚、ユーザ１ｂは、着信を許可しない場合に、移動機１０ｂの入力部１２から着信拒否を示す内容の入力を行い、移動機１０ｂの制御部１６が、着信の拒否を管理サーバ２０に通知する拒否通知を通信部１１に入力してもよい。そして、移動機１０ｂの通信部１１が拒否通知を管理サーバ２０に送信してもよい。この場合、管理サーバ２０の制御部２５は、移動機１０ｂから着信の拒否を受信した際に、交換機４０に対する着信中止の指示をネットワークインタフェース２３に入力する。
【００４９】
以上のようにして、管理サーバ２０が移動機１０ｂに通知した発信者であるユーザ１ａの電話番号「０９０−１１１１−１１１１」と、ユーザ１ａの顔の画像「画像データＡ」、ユーザ名「ボブ」、メールアドレス「ｂｏｂ＠ｄｏｃｏｍｏ．ｎｅ．ｊｐ」、住所「品川」、状態「位置情報：新宿」のようなユーザ情報は、例えば、図３に示すような着信画面として、移動機１０ｂのディスプレイのような出力部１４に出力される。又、音楽データＡも、移動機１０ｂのスピーカーのような出力部１４に出力される。
【００５０】
（通知方法）
図１に示したように、着信と同時にユーザ情報を通知する場合の通知方法の手順を説明する。図４に示すように、発信端末装置となる移動機１０ａが、ユーザ情報登録要求を、管理サーバ２０に送信する（Ｓ１０１）。管理サーバ２０は、ユーザ情報登録要求に基づいて、移動機１０ａのユーザ１ａのユーザ情報を、ユーザ情報データベース２１に格納して登録する（Ｓ１０２）。又、受信端末装置となる移動機１０ｂが、受信可否通知を管理サーバ２０に送信する（Ｓ１０３）。管理サーバ２０は、受信可否通知に基づいて、移動機１０ｂのユーザ１ｂがユーザ情報の受信を希望するか否かを、受信可否データベース２２に格納して登録する（Ｓ１０４）。尚、移動機１０ｂも発信端末装置となる場合のためにステップ（Ｓ１０２）を行い、移動機１０ａも受信端末装置となる場合のためにステップ（Ｓ１０３）を行う。このようなステップ（Ｓ１０１）〜（Ｓ１０４）により、ユーザ情報の通知を行うための事前登録が行われる。
【００５１】
事前登録後、移動機１０ａが、移動機１０ｂに対して発信すると（Ｓ１０５）、交換機４０が、移動機１０ａから移動機１０ｂに発信された呼に含まれる発信者電話番号、受信者電話番号を含むユーザ情報通知要求を作成し、管理サーバ２０に送信する（Ｓ１０６）。管理サーバ２０は、ユーザ情報通知要求に含まれる受信者電話番号であるユーザ１ｂの電話番号に基づいて、受信可否データベース２２を検索し、ユーザ１ｂについてユーザ情報の受信の可否を確認する（Ｓ１０７）。管理サーバ２０は、受信者であるユーザ１ｂがユーザ情報の受信を希望している場合には、ユーザ情報通知要求に含まれる発信者電話番号であるユーザ１ａの電話番号に基づいて、ユーザ情報データベース２１を検索する（Ｓ１０８）。
【００５２】
そして、管理サーバ２０は、ユーザ情報データベース２１から発信者であるユーザ１ａのユーザ情報を取得し、取得したユーザ情報を移動機１０ｂに着信と同時に送信して通知する（Ｓ１０９）。ステップ（Ｓ１０９）と共に、管理サーバ２０は、交換機４０に、移動機１０ｂへの着信を指示し（Ｓ１１０）、交換機４０は、管理サーバ２０から着信の指示に従って、移動機１０ａからの呼を移動機１０ｂに着信させる（Ｓ１１１）。即ち、管理サーバ２０は、ステップ（Ｓ１０９）を、ステップ（Ｓ１１１）と同時に行う。その後、移動機１０ａと移動機１０ｂは、音声通信による通話を開始する。
【００５３】
次に、図２に示したように、着信の前にユーザ情報を通知する場合の通知方法の手順を説明する。図５に示すように、ステップ（Ｓ２０１）〜（Ｓ２０８）が行われる。ステップ（Ｓ２０１）〜（Ｓ２０８）は、図４に示したステップ（Ｓ１０１）〜（Ｓ１０８）と同様である。
【００５４】
ステップ（Ｓ２０８）の後、管理サーバ２０は、ユーザ情報データベース２１から発信者であるユーザ１ａのユーザ情報を取得し、取得したユーザ情報を移動機１０ｂに着信の前に送信して通知する（Ｓ２０９）。受信者であるユーザ１ｂは、移動機１０ｂが受信したユーザ１ａのユーザ情報に基づいて着信の可否を判断する。ユーザ１ｂは、着信を許可する場合、通話状態とするための操作のような着信許可の操作を行う。そして、ユーザ操作を受けた移動機１０ｂが、管理サーバ２０に許可通知を送信する（Ｓ２１０）。許可通知を受信した管理サーバ２０は、交換機４０に、移動機１０ｂへの着信を指示し（Ｓ２１１）、交換機４０は、管理サーバ２０から着信の指示に従って、移動機１０ａからの呼を移動機１０ｂに着信させる（Ｓ２１２）。その後、移動機１０ａと移動機１０ｂは、音声通信による通話を開始する。
【００５５】
（効果）
このような管理サーバ２０、通知システム１００及び通知方法によれば、予め発信者に関するユーザ情報を、管理サーバ２０のユーザ情報データベース２１に登録しておくことができる。更に、管理サーバ２０は、発信者電話番号を受信し、その発信者電話番号に基づいて発信者であるユーザ１ａのユーザ情報をユーザ情報データベース２１から取得する。そして、管理サーバ２０は、取得したユーザ１ａのユーザ情報を、受信端末装置である移動機１０ｂに通知できる。そのため、管理サーバ２０は、発信者のユーザ情報を受信者に通知して、発信者と受信者の利便性を向上させることができる。
【００５６】
即ち、移動機１０ａは、移動機１０ｂに対して発信して、発信者電話番号を管理サーバ２０に通知するだけで、管理サーバ２０により、ユーザ１ａのユーザ情報を移動機１０ｂに通知してもらうことができる。そのため、例えば、移動機１０ａが移動機１０ｂに対して発信するだけで、移動機１０ｂにユーザ１ａのメールアドレスが通知される。よって、受信者であるユーザ１ｂは、ユーザ１ａから口頭でメールアドレスを伝えられなくても、移動機１０ｂがユーザ情報を管理サーバ２０から受信することにより、移動機１０ａにメールを送信することができる。
【００５７】
又、ユーザ１ａのユーザ情報に変更が生じた場合、ユーザ１ａは、各ユーザそれぞれに、変更されたユーザ情報を口頭やメールで伝える必要はなく、管理サーバ２０に登録しているユーザ情報を更新するだけでよい。更新後は、管理サーバ２０が、各ユーザの移動機が受信端末装置となった際に、変更されたユーザ情報を通知する。そのため、ユーザ１ａは、容易にユーザ情報の変更を各ユーザに伝えることができる。更に、ユーザ情報を受信した移動機１０ｂは、受信したユーザ情報を記憶部１５に格納して、登録することができる。そのため、ユーザ１ｂは、ユーザ１ａのユーザ情報を移動機１０ｂに入力して登録する作業を省略することができる。
【００５８】
更に、ネットワークインタフェース２３は、受信端末装置である移動機１０ｂへの着信と同時又は着信の前に、ユーザ１ａのユーザ情報を移動機１０ｂに通知する。そのため、ユーザ１ａは着信時にユーザ情報をユーザ１ｂに通知できる。そして、ユーザ情報を受信した移動機１０ｂの出力部１４は、受信したユーザ情報を出力する。よって、ユーザ１ｂは、ユーザ１ａのユーザ情報を移動機１０ｂに事前に登録していない場合であっても、通話前の着信時にユーザ１ａの詳細なユーザ情報を知ることができる。更に、着信の前の場合には、ユーザ１ｂはユーザ１ａのユーザ情報を着信の可否の判断材料に用いることができる。
【００５９】
又、移動機１０ａ，１０ｂによれば、管理サーバ２０にユーザ情報を通知して、管理サーバ２０にユーザ情報を登録させることができる。そして、移動機１０ａは、移動機１０ｂに対して発信することにより、交換機４０を介して管理サーバ２０に発信者電話番号を通知し、管理サーバ２０に、ユーザ情報を移動機１０ｂへ通知させることができる。
【００６０】
〔第２の実施の形態〕
（通知システム）
図６に示すように、通知システム２００は、移動機２１０ａと、端末装置２１０ｂと、電話機２１０ｃと、管理サーバ２２０と、ネットワーク３０と、交換機４０とを備える。ネットワーク３０、交換機４０は、図１と同様である。図６においても、データ通信を実線で、音声通信を点線で示す。
【００６１】
移動機２１０ａはユーザ２０１ａが使用し、端末装置２１０ｂ及び電話機２１０ｃは、オペレーター２０１ｂが使用する。オペレーター２０１ｂは、例えば、コールセンターなどにおいて、宿泊予約、保険契約、商品購買、宅配サービスのような各種の申し込みを受け付ける。本実施形態では、ユーザ２０１ａが発信者、オペレーター２０１ｂが受信者、移動機２１０ａが発信端末装置、端末装置２１０ｂ及び電話機２１０ｃが、オペレーター２０１ｂが使用する受信端末装置となる場合を例として説明する。端末装置２１０ｂは、ユーザ情報の受信に用いられ、電話機２１０ｃは、移動機１０ａとの通話に用いられる。
【００６２】
移動機２１０ａは、図１に示した移動機１０ａと同様の構成、即ち、通信部１１と、入力部１２と、カメラ１３と、出力部１４と、記憶部１５と、制御部１６とを備える。本実施形態では、通信部１１は、ユーザ情報として、ユーザ名（本名）、メールアドレス、住所、性別、生年月日、パスワードを含むユーザ情報登録要求を送信する。又、通信部１１は、交換機４０を介して、電話機２１０ｃと通話する。
【００６３】
更に、移動機２１０ａは、管理サーバ２２０に、電話機２１０ｃとの通話中に、情報通知承認を端末装置２１０ｂに送信する。情報通知承認は、管理サーバ２２０に、発信者が受信者へのユーザ情報の通知を承認することを通知するものであり、発信者電話番号、受信者電話番号、発信者を認証するためのパスワードを含む。
【００６４】
ユーザ２０１ａは、オペレーター２０１ｂと通話により交渉し、申し込みを行うことを決定した時のように、移動機２１０ａと電話機２１０ｃとの通話中に、オペレーター２０１ｂにユーザ情報を通知したい時に、入力部１２に対して、ユーザ情報の通知を承認する操作を行う。例えば、ユーザ２０１ａは、ユーザ情報の通知を承認する際に押すように定められたキーを押すことにより、承認を示す内容の入力を行う。制御部１６は、入力部１２から承認する操作内容を取得すると、情報通知承認を作成して、通信部１１に入力する。パスワードは、記憶部１５が記憶しておき、制御部１６は記憶部１５から取得してもよく、ユーザ２０１ａが入力部１２から入力し、制御部１６は入力部１２から取得してもよい。又、制御部１６は、ユーザ２０１ａ自身の電話番号とオペレーター２０１ｂの電話番号を、記憶部１５又は入力部１２から取得する。制御部１６は、取得したパスワードや電話番号を用いて情報通知承認を作成する。通信部１１は、制御部１６から取得した情報通知承認を、ネットワーク３０を介してデータ通信により管理サーバ２２０に送信する。
【００６５】
端末装置２１０ｂは、ネットワーク３０を介して、管理サーバ２２０に宛先情報登録要求をデータ通信により送信する。宛先情報登録要求は、管理サーバ２２０にユーザ情報の通知条件の登録を要求するものであり、受信者となるオペレーター２０１ｂの電話番号に対応付けられた通知条件を含む。宛先情報登録要求は、通知条件として、ユーザ情報の宛先アドレス、ユーザ情報の通知フォーマットを含む。
【００６６】
宛先アドレスは、例えば、受信者がユーザ情報を含むパケットの送信を希望するメールアドレスや、ＵＲＬ（Uniform  Resource  Locator）アドレスを用いることができる。ユーザ情報の通知フォーマットは、例えば、どの種類のユーザ情報をどのような順番で通知するかを定めたもので、ユーザ情報の項目名や入力欄が記入されているフォーマットを用いることができる。通知フォーマットは、受信者が希望するフォーマット、例えば、そのまま端末装置２１０ｂに登録できるフォーマットを用いることができる。例えば、端末装置２１０ｂは、宛先情報登録要求として、通知条件を通知するためのウェブページを送信することができる。
【００６７】
又、端末装置２１０ｂは、ネットワーク３０を介して、管理サーバ２２０からユーザ情報をデータ通信により受信する。端末装置２１０ｂは、受信したユーザ情報をそのままデータベースのような記憶手段に格納して、登録する。電話機２１０ｃは、交換機４０を介して、移動機２１０ａの通信部１１と音声通信により通話する。
【００６８】
管理サーバ２２０は、ユーザ情報データベース２２１と、宛先情報データベース２２２と、ネットワークインタフェース２２３と、登録部２２４と、制御部２２５とを備える。本実施形態では、ユーザ情報データベース２２１は、ユーザ情報として、ユーザのユーザ名（本名）、メールアドレス、住所、性別、生年月日、パスワードを記憶する。例えば、ユーザ情報データベース２２１は、ユーザ２０１ａの電話番号「０９０−３３３３−３３３３」に対応付けて、ユーザ２０１ａのユーザ情報として、ユーザ名「佐藤百合子」、メールアドレス「ｓａｔｏ＠ｄｏｃｏｍｏ．ｎｅ．ｊｐ」、住所「横浜市港南区」、性別「女性」、生年月日「１９７２年１月３１日」、パスワード「ａｂｃｄ」を記憶する。
【００６９】
宛先情報データベース２２２は、受信者に応じたユーザ情報の通知条件を記憶する条件記憶手段である。宛先情報データベース２２２は、通知条件として、受信者が希望するユーザ情報の宛先アドレス、ユーザ情報の通知フォーマットを記憶する。宛先情報データベース２２２は、受信者となるオペレーター２０１ｂのようなユーザの電話番号に対応付けて、宛先アドレスとユーザ情報の通知フォーマットを記憶する。例えば、宛先情報データベース２２２は、オペレーター２０１ｂの電話番号「０３−１１１１−１１１１」に対応付けて、オペレーター２０１ｂがユーザ情報を含むパケットの送信を希望する宛先アドレス「ｃｅｎｔｅｒ＠ｄｏｃｏｍｏ．ｎｅ．ｊｐ」と、オペレーター２０１ｂが希望するユーザ情報の通知フォーマット「フォーマットデータＡ」を記憶する。
【００７０】
ネットワークインタフェース２２３は、ネットワーク３０を介して、移動機２１０ａや端末装置２１０ｂと通信する。ネットワークインタフェース２２３は、端末装置２１０ｂから、宛先情報登録要求を受信し、登録部２２４に入力する。このようにして、ネットワークインタフェース２２３は、受信端末装置から通知条件を受信する条件受信手段として機能する。又、ネットワークインタフェース２２３は、移動機２１０ａから、情報通知承認を受信し、制御部２２５に入力する。ネットワークインタフェース２２３は、発信者電話番号としてユーザ２０１ａの電話番号を、受信者電話番号としてオペレーター２０１ｂの電話番号を含む情報通知承認を、移動機２１０ａから受信する。このようにして、ネットワークインタフェース２２３は、発信者電話番号を受信する受信手段として機能する。
【００７１】
更に、ネットワークインタフェース２２３は、端末装置２１０ｂにユーザ２０１ａのユーザ情報を通知する。図６では、ネットワークインタフェース２２３は、受信端末装置と発信端末装置との通信中に、ユーザ情報を通知する。具体的には、ネットワークインタフェース２２３は、制御部２２５からユーザ２０１ａのユーザ情報を取得する。そして、ネットワークインタフェース２２３は、制御部２２５の指示に従って、受信端末装置である電話機２１０ｃと発信端末装置である移動機２１０ａとの通話中に、ユーザ２０１ａのユーザ情報を、受信者が使用するもう１つの受信端末装置である端末装置２１０ｂに送信する。このようにして、ネットワークインタフェース２２３は、ユーザ情報を受信端末装置に通知する通知手段として機能する。
【００７２】
ネットワークインタフェース２２３は、情報通知承認、宛先情報登録要求をデータ通信により受信し、ユーザ情報をデータ通信により送信する。ネットワークインタフェース２２３は、例えば、ユーザ情報を、ユーザ情報を含むパケットとして、端末装置２１０ｂに送信する。ネットワークインタフェース２２３は、これらの点以外は、図１に示したネットワークインタフェース２３と同様である。
【００７３】
登録部２２４は、通知条件として、受信者が希望するユーザ情報の宛先アドレス、ユーザ情報の通知フォーマットを、宛先情報データベース２２２に登録する。登録部２２４は、ネットワークインタフェース２２３から、宛先情報登録要求を取得する。登録部２２４は、宛先情報登録要求に含まれる宛先アドレス、通知フォーマットを、宛先情報登録要求に含まれる電話番号に対応付けて、宛先情報データベース２２２に格納する。登録部２２４は、取得した宛先情報登録要求に含まれる電話番号が既に宛先情報データベース２２２に登録されている場合には、新たな通知条件を、宛先情報データベース２２２に格納して、更新する。登録部２２４は、これらの点以外は、図１に示した登録部２４と同様である。
【００７４】
制御部２２５は、ネットワークインタフェース２２３から、情報通知承認を取得すると、まず、発信者の認証を行う。制御部２２５は、情報通知承認に含まれる発信者電話番号に基づいて、ユーザ情報データベース２２１を検索する。制御部２２５は、情報通知承認に含まれるパスワードと、発信者電話番号「０９０−３３３３−３３３３」に対応付けられて登録されているパスワード「ａｂｃｄ」を比較し、両者が一致する場合には、情報通知承認を送信してきたユーザは、ユーザ２０１ａ本人であると判断する。
【００７５】
この場合、制御部２２５は、情報通知承認に含まれる受信者電話番号に基づいて、宛先情報データベース２２２を検索する。そして、制御部２２５は、宛先情報データベース２２２から、受信者であるオペレーター２０１ｂが希望する宛先アドレス、通知フォーマットを取得する。次に、制御部２２５は、情報通知承認に含まれる発信者電話番号に基づいて、ユーザ情報データベース２２１を検索する。そして、制御部２２５は、ユーザ情報データベース２２１から発信者であるユーザ２０１ａのユーザ情報を取得する。制御部２２５は、取得したユーザ情報を、取得した通知フォーマットに変換する。更に、制御部２２５は、変換した通知フォーマットのユーザ情報を含み、取得した宛先アドレスを送信先とするパケットを作成する。制御部２２５は、作成したユーザ情報を含むパケットを、ネットワークインタフェース２２３に入力し、移動機２１０ａと電話機２１０ｃとの通話中に端末装置２１０ｂに送信するように指示する。
【００７６】
一方、制御部２２５は、情報通知承認に含まれるパスワードと、発信者電話番号に対応付けられて登録されているパスワードが一致しない場合には、情報通知承認を送信してきたユーザは、ユーザ２０１ａ本人ではないと判断する。この場合、制御部２２５が、オペレーター２０１ｂへのユーザ情報の通知はできない旨の通知を作成し、ネットワークインタフェース２３が情報通知承認を送信してきた移動機にその通知を送信する。
【００７７】
このようにして、制御部２２５は、受信手段が受信した発信者電話番号に基づいて、ユーザ情報記憶手段からユーザ情報を取得する取得手段として機能する。又、制御部２２５は、受信者に応じたユーザ情報の通知条件に基づいて、通知手段が行うユーザ情報の通知を制御する通知制御手段としても機能する。そのため、管理サーバ２２０は、受信者毎に適切なユーザ情報の通知ができる。特に、制御部２２５は、通知条件として、受信者が希望するユーザ情報の宛先アドレス、ユーザ情報の通知フォーマットを用いる。そのため、管理サーバ２２０は、ユーザ情報の通知先を制御して、受信者が希望する宛先アドレスにユーザ情報を通知できる。又、管理サーバ２２０は、受信者が希望する通知フォーマットでユーザ情報を通知できる。更に、制御部２２５は、受信者電話番号に基づいて受信者が希望する宛先アドレスを特定する。そのため、管理サーバ２２０は、受信者電話番号だけを受信すればよく、宛先アドレスを受信しなくても受信者が希望する宛先アドレスにユーザ情報を通知できる。
【００７８】
（通知方法）
図６に示したように、移動機２１０ａと電話機２１０ｃとの通話中にユーザ情報を端末装置２１０ｃに通知する場合の通知方法の手順を説明する。図７に示すように、発信端末装置となる移動機２１０ａが、ユーザ情報登録要求を、管理サーバ２２０に送信する（Ｓ３０１）。管理サーバ２２０は、ユーザ情報登録要求に基づいて、移動機２１０ａのユーザ２０１ａのユーザ情報を、ユーザ情報データベース２２１に格納して登録する（Ｓ３０２）。又、受信端末装置となる端末装置２１０ｂが、宛先情報登録要求を管理サーバ２２０に送信する（Ｓ３０３）。管理サーバ２２０は、宛先情報登録要求に基づいて、端末装置２１０ｂを使用するオペレーター２０１ｂが希望するユーザ情報の宛先アドレス、通知フォーマットを、宛先情報データベース２２２に格納して登録する（Ｓ３０４）。このようなステップ（Ｓ３０１）〜（Ｓ３０４）により、ユーザ情報の通知を行うための事前登録が行われる。
【００７９】
事前登録後、移動機２１０ａが、電話機２１０ｃに対して発信すると（Ｓ３０５）、交換機４０が、移動機２１０ａから電話機２１０ｂに発信された呼を電話機２１０ｃに着信させる（Ｓ３０６）。そして、移動機２１０ａと電話機２１０ｃが、音声通信による通話を開始する。以降、ステップ（Ｓ３０７）〜（Ｓ３１０）は、移動機２１０ａと電話機２１０ｃとの通話中に行われる。例えば、通話により、ユーザ２０１ａが申し込みを行い、オペレーター２０１ｂが名前や住所などのユーザ情報を知らせるように伝えた際に、ユーザ２０１ａは、ユーザ情報の通知を承認する際に押すように定められたキーを押す。ユーザ操作を受けた移動機２１０ａは、管理サーバ２２０に情報通知承認を送信する（Ｓ３０７）。
【００８０】
管理サーバ２２０は、情報通知承認に含まれるパスワードと、ユーザ情報データベース２２１に登録されているパスワードとを比較して発信者の認証を行う。管理サーバ２２０は、情報通知承認を送信してきたユーザがユーザ２０１ａ本人であると判断できる場合には、情報通知承認に含まれる受信者電話番号に基づいて、宛先情報データベース２２２を検索する。そして、管理サーバ２２０は、宛先情報データベース２２２から、オペレーター２０１ｂが希望する宛先アドレス、通知フォーマットを取得する（Ｓ３０８）。
【００８１】
次に、管理サーバ２２０は、情報通知承認に含まれる発信者電話番号に基づいて、ユーザ情報データベース２２１を検索する。管理サーバ２２０は、ユーザ情報データベース２２１からユーザ２０１ａのユーザ情報を取得し、取得した通知フォーマットに変換する。そして、管理サーバ２２０は、変換した通知フォーマットのユーザ情報を含み、取得した宛先アドレスを送信先とするパケットを作成する（Ｓ３０９）。管理サーバ２２０は、移動機２１０ａと電話機２１０ｃとの通話中に、作成したパケットを端末装置２１０ｂに送信して、ユーザ２０１ａのユーザ情報を通知する（Ｓ３１０）。そして、ユーザ情報を受信したオペレーター２０１ｂからユーザ２０１ａに、ユーザ２０１ａにユーザ情報を受信したことが通話により伝えられる。
【００８２】
（効果）
このような管理サーバ２２０、通知システム２００及び通知方法によれば、第１の実施の形態と同様に、発信者のユーザ情報を受信者に通知して、発信者と受信者の利便性を向上させることができる。更に、管理サーバ２２０は、発信端末装置である移動機２１０ａと受信端末装置である電話機２１０ｃとの通話中に、ユーザ２０１ａのユーザ情報を端末装置２１０ｂに通知できる。
【００８３】
そのため、例えば、ユーザ２０１ａは、移動機２１０ａと電話機２１０ｃとの通話中に、オペレーター２０１ｂへのユーザ情報の通知が必要になった時に、特定のキーを押すといったユーザ情報の通知を承認する簡単な操作を行うだけで、管理サーバ２２０により、ユーザ２０１ａのユーザ情報を端末装置２１０ｂに通知してもらうことができる。よって、ユーザ２０１ａは、通話による交渉に応じて、必要な時に簡単にユーザ情報をオペレーター２０１ｂに通知できる。
【００８４】
又、ユーザ情報を受信した端末装置２１０ｂは、受信したユーザ情報を、顧客データとしてデータベースのような記憶手段に格納して、登録できる。しかも、ユーザ情報は、オペレーター２０１ｂが希望する通知フォーマットで通知されるため、オペレーター２０１ｂが手を加えることなく、そのまま登録できる。よって、オペレーター２０１ｂ側では、顧客データの登録作業のための稼働を削減でき、人件費を削減できる。
【００８５】
又、移動機２１０ａによれば、管理サーバ２２０に対して情報承認通知を送信することにより、ネットワーク３０を介して管理サーバ２２０に発信者電話番号を通知し、管理サーバ２２０に、ユーザ情報を端末装置２１０ｂへ通知させることができる。
【００８６】
〔変更例〕
本発明は、上記第１、第２の実施の形態に限定されるものではなく、種々の変更が可能である。例えば、管理サーバ２０，２２０は、ユーザ情報データべースとして、図８、図９に示すユーザ情報データベース３２１，４２１を用いてもよい。ユーザ情報データベース３２１，４２１は、ユーザ情報として、ユーザ名（本名及びニックネーム）、メールアドレス、住所、画像、音楽、生年月日、状態を記憶する。更に、ユーザ情報データベース３２１，４２１は、通知条件を記憶し、条件記憶手段としても機能する。
【００８７】
ユーザ情報データベース３２１，４２１は、受信者に応じたユーザ情報の通知条件として、発信者が受信者毎に通知を希望するユーザ情報の種類を記憶する。第１、第２の実施形態では、通知条件は受信者が希望するものであったが、このように、発信者が希望する通知条件であってもよい。ユーザ情報データベース３２１は、ユーザの電話番号に対応付けて、受信者となるユーザの電話番号毎に、通知するユーザ情報の種類を記憶する。例えば、ユーザ情報データベース３２１の場合、電話番号「０９０−１１１１−１１１１」のユーザが発信者となるときは、電話番号「０９０−２２２２−２２２２」の受信者には、ユーザ情報データベース３２１に登録されている全てのユーザ情報を通知することを希望している。又、電話番号「０９０−２２２２−２２２２」のユーザが発信者となるときは、電話番号「０９０−１１１１−１１１１」の受信者には、ニックネームとメールアドレスを通知することを希望し、電話番号「０９０−３３３３−３３３３」の受信者には、本名とメールアドレスを通知することを希望している。
【００８８】
又、予め、通知するユーザ情報の種類の組み合わせと、その組み合わせを識別する識別データを定めておいてもよい。識別データとしては、組み合わせの名称やコードを用いることができる。例えば、全てのユーザ情報を通知する「友人」、本名、メールアドレス、住所、生年月日を通知する「申し込み」、本名とメールアドレスを通知する「仕事」といった組み合わせとその名称を定めておく。そして、制御部２５，２２５は、識別データと、その識別データが示すユーザ情報の種類の組み合わせとの対応付けを記憶しておく。ユーザ情報データベース４２１は、ユーザの電話番号に対応付けて、受信者となるユーザの電話番号毎に識別データを記憶する。
【００８９】
例えば、ユーザ情報データベース４２１の場合、電話番号「０９０−１１１１−１１１１」のユーザが発信者となるときは、電話番号「０９０−２２２２−２２２２」の受信者には、組み合わせの名称「友人」が示す種類のユーザ情報を通知することを希望している。又、電話番号「０９０−２２２２−２２２２」のユーザが発信者となるときは、電話番号「０３−１１１１−１１１１」の受信者には、組み合わせの名称「申し込み」が示す種類のユーザ情報を通知することを希望し、電話番号「０９０−３３３３−３３３３」の受信者には、組み合わせの名称「仕事」が示す種類のユーザ情報を通知することを希望している。
【００９０】
ユーザ情報データベース３２１を用いる場合、制御部２５，２２５は、発信者電話番号と受信者電話番号に基づいて、発信者がその受信者に通知を希望する種類のユーザ情報を取得して、ネットワークインタフェース２３，２２３に入力する。ユーザ情報データベース４２１を用いる場合、制御部２５，２２５は、まず、発信者電話番号と受信者電話番号に基づいて、発信者がその受信者に通知を希望するユーザ情報の種類の組み合わせを示す識別データを、ユーザ情報データベース４２１から取得する。制御部２５，２２５は、取得した識別データが示すユーザ情報の種類の組み合わせを特定する。そして、制御部２５、２２５は、特定した組み合わせに基づいて、発信者がその受信者に通知を希望する種類のユーザ情報を取得して、ネットワークインタフェース２３，２２３に入力する。これにより、管理サーバ２０，２２０は、発信者が受信者に応じて、通知を希望する種類のユーザ情報だけを受信端末装置に通知できる。
【００９１】
移動機１０ａ，１０ｂ，２１０ａは、通知条件として、受信者となるユーザの電話番号に対応付けて、発信者となる場合に通知を希望するユーザ情報の種類又は識別データを管理サーバ２０，２２０に通知する。例えば、移動機１０ａ，１０ｂ，２１０ａは、受信者となるユーザの電話番号に対応付けられたユーザ情報の種類又は識別データを含むユーザ情報登録要求を管理サーバ２０，２２０に送信することにより、通知できる。管理サーバ２０，２２０の登録部２４，２２４は、ユーザ情報登録要求に基づいてユーザ情報を登録する際に、通知条件もあわせてユーザ情報データベース３２１，４２１に格納して、登録する。
【００９２】
尚、管理サーバ２０，２２０は、通知条件として、受信者が希望するユーザ情報の種類を用いてもよい。又、管理サーバ２２０は、通知条件として、発信者が希望する宛先アドレスや通知フォーマットを用いてもよい。更に、管理サーバ２０は、通知条件として、ユーザ情報の通知の可否を用いてもよい。この場合、管理サーバ２０は、ユーザ情報の通知の可否を記憶する通知可否データベースを備える。通知可否データベースは、発信者となるユーザの電話番号に対応付けて、受信者となるユーザの電話番号毎に、発信者となるユーザがユーザ情報の通知を希望しているか否かを記憶する。制御部２５は、発信者電話番号と受信者電話番号に基づいて、その受信者へのユーザ情報の通知の可否を判断し、ユーザ情報の通知を行う。これにより、管理サーバ２０は、発信者がユーザ情報の通知を希望する受信者にだけユーザ情報を通知できる。
【００９３】
又、移動機１０ａ，１０ｂが発信する時に、受信端末装置へのユーザ情報の通知要求を示す特定の番号を受信者電話番号に付与して発信したり、受信端末装置へのユーザ情報の通知拒否を示す特定の番号を受信者電話番号に付与して発信したりしてもよい。この場合、管理サーバ２０の制御部２５は、受信者電話番号に付与された特定の番号に基づいて、ユーザ情報を通知するか否かを判断し、ユーザ情報の通知を行う。
【００９４】
更に、管理サーバ２０，２２０は、ユーザ情報の通知により課金を行う課金部を備えるようにしてもよい。課金部は、制御部２５，２２５から、ユーザ情報をネットワークインタフェース２３，２２３に入力して、ユーザ情報の通知を指示する際に、その発信者電話番号の通知を受ける。そして、課金部は、通知を受けた発信者電話番号に対して通知料金を課金する。
【００９５】
又、管理サーバ２２０は、ユーザ情報を含むパケットを作成した後、端末装置２１０ｂに、ユーザ情報通知の準備ができたことを通知してもよい。そして、その通知を受信した端末装置２１０ｂが、管理サーバ２２０にユーザ情報の通知を要求し、管理サーバ２２０がユーザ情報を端末装置２１０ｂに通知するようにしてもよい。又、管理サーバ２２０は、移動機２１０ａと端末装置２１０ｂとのデータ通信中に、ユーザ情報を端末装置２１０ｂに通知するようにしてもよい。
【図面の簡単な説明】
【００９６】
【図１】本発明の第１の実施の形態に係る着信と同時にユーザ情報を通知する通知システムの構成を示す図である。
【図２】本発明の第１の実施の形態に係る着信の前にユーザ情報を通知する通知システムの構成を示す図である。
【図３】本発明の第１の実施の形態に係る着信画面を示す図である。
【図４】本発明の第１の実施の形態に係る着信と同時にユーザ情報を通知する通知方法の手順を示すフロー図である。
【図５】本発明の第１の実施の形態に係る着信の前にユーザ情報を通知する通知方法の手順を示すフロー図である。
【図６】本発明の第２の実施の形態に係る通知システムの構成を示す図である。
【図７】本発明の第２の実施の形態に係る通知方法の手順を示すフロー図である。
【図８】本発明の変更例に係るユーザ情報データベースを示す図である。
【図９】本発明の変更例に係る他のユーザ情報データベースを示す図である。
【符号の説明】
【００９７】
１０ａ，１０ｂ，２１０ａ  移動機
１１  通信部
１２  入力部
１３  カメラ
１４  出力部
１５  記憶部
１６  制御部
２０，２２０  管理サーバ
２１，２２１，３２１，４２１  ユーザ情報データベース
２２  受信可否データベース
２３，２２３  ネットワークインタフェース
２４，２２４  登録部
２５，２２５  制御部
３０  ネットワーク
４０  交換機
４１  インタフェース
４２  記憶部
４３  制御部
１００，２００  通知システム
２１０ｂ  端末装置
２１０ｃ  電話機
２２２  宛先情報データベース
【図１】
2005197827.tif 000003
【図２】
2005197827.tif 000004
【図３】
2005197827.tif 000005
【図４】
2005197827.tif 000006
【図５】
2005197827.tif 000007
【図６】
2005197827.tif 000008
【図７】
2005197827.tif 000009
【図８】
2005197827.tif 000010
【図９】
2005197827.tif 000011